(57)【要約】【課題】扉などの開閉体の落下・急降下を確実に阻止できる合理的・経済的な落下防止装置を提供する。【解決手段】落下防止装置は、離間対向する第１軸受および第２軸受を有する支持部と、支持部に対応する係止部を有し、支持部に対して上下方向に動く開閉体と、開閉体が上下方向の所定位置に保持されるときに、第１軸受および第２軸受の間に位置する開閉体の係止部を貫通しかつ第１軸受および第２軸受に係合するカンヌキ部材と、を含む。【選択図】図９
2011063986.tif 000002
【特許請求の範囲】
【請求項１】
離間対向する第１軸受および第２軸受を有する支持部と、
支持部に対応する係止部を有し、支持部に対して上下方向に動く開閉体と、
開閉体が上下方向の所定位置に保持されるときに、第１軸受および第２軸受の間に位置する開閉体の係止部を貫通しかつ第１軸受および第２軸受に係合するカンヌキ部材と、
を含むことを特徴とする、開閉体の落下防止装置。
【請求項２】
請求項１に記載の落下防止装置において、
第１軸受のみに係合する位置から、係止部を貫通する位置を介して、第２軸受に係合する位置まで、カンヌキ部材を前進移動させる駆動装置を更に含むことを特徴とする落下防止装置。
【請求項３】
請求項２に記載の落下防止装置において、
駆動装置は、第２軸受に係合する位置から、係止部を貫通しない位置を介して、第１軸受のみに係合する位置まで、カンヌキ部材を後退移動させることを特徴とする落下防止装置。
【請求項４】
請求項１から３のいずれか１項に記載の落下防止装置において、
カンヌキ部材は、第１軸受および／または第２軸受に係合するときそれを貫通することを特徴とする落下防止装置。
【請求項５】
請求項１から４のいずれか１項に記載の落下防止装置において、
カンヌキ部材は、実質上、真直形状を有することを特徴とする落下防止装置。
【請求項６】
請求項１から５のいずれか１項に記載の落下防止装置において、
第１軸受および第２軸受と係止部とは、前記貫通時に実質上、一列に整列することを特徴とする落下防止装置。
【請求項７】
請求項１から６のいずれか１項に記載の落下防止装置において、
カンヌキ部材は、第１軸受、係止部、および、第２軸受をこの順序で実質上、直線的に貫通することを特徴とする落下防止装置。
【請求項８】
請求項１から７のいずれか１項に記載の落下防止装置において、
カンヌキ部材は、前記貫通時における係止部部分に対向する領域に、カンヌキ部材抜け止め用の形状部を有することを特徴とする落下防止装置。
【請求項９】
請求項８に記載の落下防止装置において、
前記形状部は、周溝を含むことを特徴とする落下防止装置。
【請求項１０】
請求項１から９のいずれか１項に記載の落下防止装置において、
開閉体は、防音扉であることを特徴とする落下防止装置。
【発明の詳細な説明】
【技術分野】
【０００１】
本発明は、戸、扉、窓などの開閉体の落下防止装置に関する。
【背景技術】
【０００２】
開口を開閉する開閉体、たとえば、防音（遮音）用の扉は、防音効果を上げるために、その音響インピーダンスまたは密度を高くする必要があり、このため、扉の総重量が非常に大きくなる傾向がある。
このような重い扉を上下動装置によって上下動させて開口を開閉する構造の場合、扉を上昇位置に保持する際の安全性の向上の観点から、上下動装置の保持機構とは別に落下防止装置（安全装置）が組み込まれる。
【０００３】
具体的には、たとえば、上昇位置に扉が位置するときに、扉の下面の左右両側部分に対向する阻止位置に支持バーが位置して、万が一に保持機構の故障等があっても支持バーが扉下面を支えることによって扉の急降下を阻止できるように構成された、いわゆる、落とし掛け装置（安全装置）が設けられる。
この落とし掛け装置の支持バーは、扉が上昇位置から正常に下降する場合に、事前に阻止位置から非阻止位置（下降を邪魔しない回避位置）に旋回するように構成される。
【０００４】
なお、特許文献１には、シャッターの上下動を案内するガイドレール溝内に、ストッパが障害物になるように突出して、シャッター下面に当接することによりシャッターの降下を阻止する安全装置が開示されている。
【０００５】
【特許文献１】実開平５−４２５９７号公報
【発明の開示】
【発明が解決しようとする課題】
【０００６】
上記従来の開閉体（扉やシャッター等）の下面に当接して下側から支える安全装置の場合、開閉体の拘束が下方向のみであるので、それ以外の開閉体の挙動に対応できず、確実性の観点から大いに改善の余地がある。
また、上記従来装置の場合、片持ち式の構造で安価かつ簡易に装置化できるものの、開閉体の高重量化に伴う耐久性や信頼性の観点から更に改善の余地がある。
さらに、上記従来装置の場合、開閉体の下側を支持する構造上、当該構造部分が不可避的に外部に露出するので、悪意のある第三者により行われるいたずらなどの不正行為や装置の美観の観点からなお改善の余地がある。
【０００７】
本発明は、このような従来の不都合を新たな観点から解消するべく、高耐久性および高信頼性を有する合理的・経済的な落下防止装置を提供することをその課題とする。
【課題を解決するための手段】
【０００８】
上記課題を解決するために、本発明の第１態様の落下防止装置は、
離間対向する第１軸受および第２軸受を有する支持部と、
支持部に対応する係止部を有し、支持部に対して上下方向に動く開閉体と、
開閉体が上下方向の所定位置に保持されるときに、第１軸受および第２軸受の間に位置する開閉体の係止部を貫通しかつ第１軸受および第２軸受に係合するカンヌキ部材と、
を含むことを特徴とする。
【０００９】
本発明の第２態様の落下防止装置は、第１態様において、
第１軸受のみに係合する位置から、係止部を貫通する位置を介して、第２軸受に係合する位置まで、カンヌキ部材を前進移動させる駆動装置を更に含むことを特徴とする。
【００１０】
本発明の第３態様の落下防止装置は、第２態様において、
駆動装置は、第２軸受に係合する位置から、係止部を貫通しない位置を介して、第１軸受のみに係合する位置まで、カンヌキ部材を後退移動させることを特徴とする。
【００１１】
本発明の第４態様の落下防止装置は、第１態様〜第３態様のいずれか１つにおいて、
カンヌキ部材は、第１軸受および／または第２軸受に係合するときそれを貫通することを特徴とする。
【００１２】
本発明の第５態様の落下防止装置は、第１態様〜第４態様のいずれか１つにおいて、
カンヌキ部材は、実質上、真直形状を有することを特徴とする。
【００１３】
本発明の第６態様の落下防止装置は、第１態様〜第５態様のいずれか１つにおいて、
第１軸受および第２軸受と係止部とは、前記貫通時に実質上、一列に整列することを特徴とする。
【００１４】
本発明の第７態様の落下防止装置は、第１態様〜第６態様のいずれか１つにおいて、
カンヌキ部材は、第１軸受、係止部、および、第２軸受をこの順序で実質上、直線的に貫通することを特徴とする。
【００１５】
本発明の第８態様の落下防止装置は、第１態様〜第７態様のいずれか１つにおいて、
カンヌキ部材は、前記貫通時における係止部部分に対向する領域に、カンヌキ部材抜け止め用の形状部を有することを特徴とする。
【００１６】
本発明の第９態様の落下防止装置は、第８態様において、
前記形状部は、周溝を含むことを特徴とする。
【００１７】
本発明の第１０態様の落下防止装置は、第１態様〜第９態様のいずれか１つにおいて、
開閉体は、防音扉であることを特徴とする。
【発明の効果】
【００１８】
従来の不都合を解消することができ、開閉体の落下・急降下を安全かつ確実に回避することができる。また、構造が簡単で美観に優れた装置を安価かつ簡易に市場に提供することができる。
【発明を実施するための最良の形態】
【００１９】
以下、図面を参照して、本発明の実施の形態を説明するが、本発明自体はそれに限定されないことは言うまでもない。
先ず図１および２を参照すると、本実施形態の防音扉１（以下、扉）は、室内外を仕切る隔壁３に設けられた連絡用の矩形の開口部（出入り口）５を自在に閉鎖・遮音するものであって、対応するように一回り大きな矩形の面形状を有する。
【００２０】
扉１の上方の隔壁３部分内側には、上昇する扉１を完全に収容するための空所が設けられ、この空所内には、扉を上昇および下降させるための上下動装置７が設けられる。
扉１の上面の左右対称位置（２ケ所）には、上下動装置７から延びる一対の牽引部材９（たとえば、チェーン、ワイヤなど）の端部がそれぞれ連結される。
扉１の左右両側の扉１に対向する隔壁３部分には、扉１の上下動を円滑に案内するためのガイド構造１１が設けられる。ガイド構造１１の外側の破線部で示されるものは、隔壁３内部の支柱１３である。
【００２１】
扉１は、上下動装置７による牽引部材９の巻き取りおよび巻き戻しによって、開口部５を閉じる閉位置すなわち下降位置（図１では実線位置）と、開口部５を開く開位置すなわち上昇位置（図１では破線位置）と、の間を上下動するように制御される。そして、扉１は、この巻き動作の停止（保持）により、下降位置および上昇位置の各々で保持される。
【００２２】
上下動装置７の下面には、上昇位置に保持された扉１の偶発的なまたは誤操作による落下または（急）降下を阻止するための落下防止装置１５が設けられる。
落下防止装置１５は、図３から理解され得るように、対向する脚部の各々に軸受１７（第１軸受１７aおよび第２軸受１７b）を備えたＵ字状のブラケット１９と、ブラケット１９の第１軸受１７aに貫通状態で通常支持されている丸棒状のカンヌキ部材２１と、カンヌキ部材２１を長手方向（図１の紙面／扉面に垂直な方向）に直線的に前進および後退させる駆動装置２３（たとえば、電動シリンダ）から基本的に構成される。
【００２３】
ブラケット１９は、図４に示すように、上下動装置７の下面にボルト止めされる。同様に、駆動装置２３は、図５に示すように、上下動装置７の下面にボルト止めされる。
【００２４】
カンヌキ２１部材は、ブラケット１９の一方の軸受１７（第１軸受１７a）に貫通した状態で支持される後退位置（図３に示す待機位置）と、ブラケット１９の他方の軸受１７（第２軸受１７b）をも貫通した状態で支持される前進位置（図６に示す作動位置）と、の間を進退動するように駆動される。
【００２５】
軸受１７（１７aおよび１７b）は、少なくともカンヌキ部材２１が貫通係合（摺動）する部分が、耐摩耗性の自己潤滑材（含油）や潤滑不要材などで形成される。
軸受１７へのカンヌキ部材２１の挿入を容易にするために、カンヌキ部材２１の先端には、テーパ加工が施され、対応するように軸受１７の貫通孔入り口部分には、面取り加工が施される。
【００２６】
ところで、扉１の上面には、図７に示すように、Ｌ字状のフランジ２５が設けられる。フランジ２５の上側部分には、カンヌキ部材２１の外径寸法よりも一回り大きい内径を有する貫通穴２５aが形成されている。
【００２７】
フランジ２５は、図８および９に示すように扉１が上昇位置に位置したときに、フランジ２５の貫通穴２５aと両軸受１７a、１７b（の貫通孔）とが一列に並んで、カンヌキ部材の前進（図９）および後退（図８）が阻害されないように、扉１の上面の所定位置にボルト止めされる。
【００２８】
以下、上述したような新規かつ斬新な特徴的構成を有する本実施形態の作動・作用について簡潔に説明する。
先ず、扉１は、上下動装置７内の牽引部材９の巻き取り動作によって、開口５を閉じた閉位置（下降位置）から、開口５を開く開位置（上昇位置）まで、鉛直方向上方に駆動される。
【００２９】
扉１が図８に示すような上昇位置に到達すると、カンヌキ部材２１、第１軸受１７a、フランジ２５の貫通穴２５a、および、第２軸受１７bが水平な一直線上に整列する。
【００３０】
次いで、安全装置（落下防止装置１５）が作動する。すなわち、駆動装置２３によって、カンヌキ部材２１が、図８に示すような第１軸受１７aから僅かに突出した位置（待機位置）から前進して、（扉１上部の）フランジ２５の貫通穴を貫通し、さらに前進して、図９に示すように第２軸受１７bを貫通して停止（作動位置）する。
【００３１】
この作動位置状態（図９）にあっては、不測の事態、たとえば、万が一に牽引部材９の破断が生じた場合でも、第１軸受１７aおよび第２軸受１７bによって両持ち式に強固に支持されたカンヌキ部材２１が扉１のフランジ２５（の貫通穴２５a）を貫通しているために、それ以降の扉１の落下（急降下）を安全かつ確実に阻止ないし回避することができる。
【００３２】
換言すると、ブラケット１９、両軸受け１７a、１７b、および、カンヌキ部材２１から成る閉じた輪（リング）がフランジ２５の貫通穴２５aを貫通しているので、フランジ２５、したがって、扉１を全方位的に拘束することができる。
このため、安全装置自体の確実性・信頼性が向上し、したがって、総合的な落下防止／急降下防止の確実性・信頼性が飛躍的に向上する。
【００３３】
なお、落下防止装置１５（安全装置）の作動時において、フランジ２５の貫通穴２５aを貫通しているカンヌキ部材２１に関して、其の位置を強力に保持し続けさせる手段として、カンヌキ部材２１の、たとえば形状を工夫することが考えられる。
【００３４】
たとえば、図１０に示すようにフランジ２５に対応するカンヌキ部材２１の表面部分に周方向に延びる周溝２１aを形成する。
この構成によれば、扉１が落下・急降下しそうになり、したがって、フランジ２５が僅かに下降してカンヌキ部材２１に係合したときに、フランジ２５がカンヌキ部材２１の周溝２１aに嵌まり込む。これにより、カンヌキ部材２１の後退（抜け）を確実に阻止できる。
【００３５】
この周溝２１aを設ける構成に代えて、たとえば、フランジ２５を越えた前進位置に対応するカンヌキ部材表面部分に、カンヌキ部材抜け止め用の突起（図示せず）を設ける構成が考えられる。あるいは、カンヌキ部材の全体または要部を先太のテーパ形状（図示せず）にして、カンヌキ部材２１の抜けを防止する構成が考えられる。
【００３６】
このように、本発明は、上記実施形態に限定されるものではなく、本発明の開示範囲内で各種の改変および変形が可能である。
【００３７】
たとえば、カンヌキ部材２１の駆動装置２３の駆動部として、各種モータ（直流モータ、パルスモータ等）、電磁ソレノイド、空気圧もしくは液圧シリンダ等を採用することができる。
ブラケットの軸受として、ボールまたはローラータイプを含む様々な部材を採用することができる。
フランジの貫通穴は、本実施形態では閉じているが、開いている穴を有する部材、すなわち、フック状やＵ状の部材を採用することができる。
フランジは、扉と別体の要素として具現化しているが、扉の一部をフランジとして機能させることができる。
【００３８】
本実施形態では、扉中央を中心にして左右２ヶ所に対称的に落下防止装置が設けられる（すなわち、２台）が、最低限の落下防止の観点からは１ヶ所のみとする（１台）こともでき、あるいは、３台以上設けることもできる。
落下防止装置を設ける位置については、扉の上面のみならず、扉の側面あるいは下面に設けることもでき、非対称的に設けることもできる。
【００３９】
本発明における開閉体は、上記実施形態の防音扉に限定されず、様々なものを含むことができる。すなわち、本発明の適用対象として、次のようなシャッターを例示することができる。
（a）長尺の短冊状のスラット（鎧）を上下に連結したシャッター
（b）パネルを連結したパネルシャッター
（c）布・樹脂などから成るシートを開閉するスクリーンシャッター
（d）スラットがブラインド機能を有するブラインドシャッター
（e）ドア本体が天井に沿ってスライドするオーバーヘッドドア
【００４０】
本実施形態のカンヌキ部材は、上述したように防音扉の扉面（図１の紙面）に垂直な方向、すなわち、防音扉の厚さ方向に前進および後退する。しかしながら、これに限定されず、たとえば、防音扉の幅方向（図１の防音扉の扉面の左右方向）に前進および後退するように構成することもできる。もっとも、当該方向については、それらに限定されない。要は、本発明にしたがってカンヌキ部材としての機能を奏することができる方向に前進および後退するように構成することができる。
【図面の簡単な説明】
【００４１】
【図１】本発明の実施形態の防音扉の正面図である。
【図２】図１のＩＩ−ＩＩ線に沿い矢印方向から見た上下動装置および落下防止装置の側面図である。
【図３】落下防止装置の詳細側面図である。
【図４】図３のＩＶ−ＩＶ線に沿い矢印方向から見たブラケットを示す図である。
【図５】図３のＶ−Ｖ線に沿い矢印方向から見た駆動装置の背面図である。
【図６】前進位置に位置するカンヌキ部材の側面図である。
【図７】図８のＶＩＩ−ＶＩＩに沿い矢印方向から見たフランジを示す図である。
【図８】上昇位置に位置する扉と落下防止装置との関係を示す図である。
【図９】作動位置に位置するときカンヌキ部材と扉との関係を示す図である。
【図１０】カンヌキ部材の抜け止め構成を例示する図である。
【符号の説明】
【００４２】
１  （防音）扉
３  隔壁
５  開口
７  上下動装置
９  牽引部材
１１  ガイド構造
１３  支柱
１５  落下防止装置
１７  軸受
１７a  第１軸受
１７b  第２軸受
１９  ブラケット
２１  カンヌキ部材
２１a  周溝
２３  駆動装置
２５  フランジ
２５a  貫通穴
【図１】
2011063986.tif 000003
【図２】
2011063986.tif 000004
【図３】
2011063986.tif 000005
【図４】
2011063986.tif 000006
【図５】
2011063986.tif 000007
【図６】
2011063986.tif 000008
【図７】
2011063986.tif 000009
【図８】
2011063986.tif 000010
【図９】
2011063986.tif 000011
【図１０】
2011063986.tif 000012